(57)【要約】【課題】移動端末の所定エリアへの進入を検出する無線通信システムを効率的に構築するための技術を提供する。【解決手段】無線通信システムは複数の基地局装置を有する。無線通信システムは、複数の基地局装置の通信エリアを線状に接続することにより、管理エリアの内部と外部を区切る境界線を該通信エリアで形成する。無線通信システムは、基地局装置と移動端末との通信に基づいて、境界線を超えて管理エリアへ進入する移動端末を検出する。【選択図】図１
2010045671.tif 000002
【特許請求の範囲】
【請求項１】
複数の基地局装置を有し、
前記複数の基地局装置の通信エリアを線状に接続することにより、管理エリアの内部と外部を区切る境界線を該通信エリアで形成し、
前記基地局装置と移動端末との通信に基づいて、前記境界線を超えて前記管理エリアへ進入する移動端末を検出する、無線通信システム。
【請求項２】
２本の前記境界線が形成されており、前記移動端末が基地局装置と通信した境界線の順序によって、該移動端末が、前記管理エリアに進入したのか、該管理エリアから退出したのか判断する、請求項１に記載の無線通信システム。
【請求項３】
前記２本の境界線は第１の境界線と第２の境界線であり、
前記移動端末が前記第１の境界線で基地局装置と通信し、次に前記第２の境界線で基地局装置と通信したときに、該移動端末が前記管理エリアへ進入したと判断し、
前記移動端末が前記第２の境界線で基地局装置と通信し、次に前記第１の境界線で基地局装置と通信したときに、該移動端末が前記管理エリアから退出したと判断する、請求項２に記載の無線通信システム。
【請求項４】
前記基地局装置は、第１のセクタと第２のセクタを備え、前記第１のセクタの通信エリアを前記第１の境界線に提供し、前記第２のセクタの通信エリアを前記第２の境界線に提供しており、
前記第１のセクタで前記移動端末と通信し、次に前記第２のセクタで該移動端末と通信したときに、該移動端末が前記管理エリアへ進入したと判断し、
前記第２のセクタで前記移動端末と通信し、次に前記第１のセクタで該移動端末と通信したときに、該移動端末が前記管理エリアから退出したと判断する、請求項３に記載の無線通信システム。
【請求項５】
前記基地局装置は、水平方向に指向性を持った指向性アンテナを備えており、前記境界線の長手方向と前記指向性アンテナの指向方向が一致する、請求項１から４のいずれか１項に記載の無線通信システム。
【請求項６】
前記複数の基地局装置に接続されており、該基地局装置と移動端末の間の通信結果に基づいて、前記管理エリアへ移動端末の進入を判断する管理装置を更に有する、請求項１から５のいずれか１項に記載の無線通信システム。
【請求項７】
第１の境界線と第２の境界線の２本が形成されており、
前記基地局装置は自身の通信エリアの移動端末と通信したとき、該基地局装置が該移動端末と通信したことを示す通信信号を前記管理装置に送り、
前記管理装置は、前記第１の境界線に通信エリアを提供している基地局装置から、移動端末と通信したことを示す通信信号を受信し、次に、前記第２の境界線に通信エリアを提供している基地局装置から、同じ該移動端末と通信したことを示す通信信号を受信したら、該移動端末が前記管理エリアに進入したと判断し、前記第２の境界線に通信エリアを提供している基地局装置から、移動端末と通信したことを示す通信信号を受信し、次に、前記第１の境界線に通信エリアを提供している基地局装置から、同じ該移動端末と通信したことを示す通信信号を受信したら、該移動端末が前記管理エリアから退出したと判断する、
請求項６に記載の無線通信システム。
【請求項８】
第１の境界線と第２の境界線の２本が形成されており、
前記基地局装置は、第１のセクタと第２のセクタを備え、前記第１のセクタの通信エリアを前記第１の境界線に供し、前記第２のセクタの通信エリアを前記第２の境界線に供しており、前記第１のセクタで前記移動端末と通信し、次に前記第２のセクタで該移動端末と通信したときに、該移動端末が前記管理エリアへ進入した旨を前記管理装置へ通知し、前記第２のセクタで前記移動端末と通信し、次に前記第１のセクタで該移動端末と通信したときに、該移動端末が前記管理エリアから退出した旨を前記管理装置に通知し、
前記管理装置は、前記基地局装置からの通知に従って、前記管理エリアへの移動端末の進入および前記管理エリアからの移動端末の退出を管理する、
請求項６に記載の無線通信システム。
【請求項９】
複数の基地局装置の通信エリアを線状に接続することにより、管理エリアの内部と外部を区切る境界線を該通信エリアで形成し、
前記基地局装置と移動端末との通信に基づいて、前記境界線を超えて前記管理エリアへ進入する移動端末を検出する、移動管理方法。
【請求項１０】
２本の前記境界線を形成しておき、前記移動端末が基地局装置と通信した境界線の順序によって、該移動端末が、前記管理エリアに進入したのか、該管理エリアから退出したのか判断する、請求項９に記載の移動管理方法。
【請求項１１】
前記２本の境界線は第１の境界線と第２の境界線であり、
前記移動端末が前記第１の境界線で基地局装置と通信し、次に前記第２の境界線で基地局装置と通信したときに、該移動端末が前記管理エリアへ進入したと判断し、
前記移動端末が前記第２の境界線で基地局装置と通信し、次に前記第１の境界線で基地局装置と通信したときに、該移動端末が前記管理エリアから退出したと判断する、請求項１０に記載の移動管理方法。
【請求項１２】
前記基地局装置が、第１のセクタと第２のセクタを備え、前記第１のセクタの通信エリアを前記第１の境界線に提供し、前記第２のセクタの通信エリアを前記第２の境界線に提供しており、
前記第１のセクタで前記移動端末と通信し、次に前記第２のセクタで該移動端末と通信したときに、該移動端末が前記管理エリアへ進入したと判断し、
前記第２のセクタで前記移動端末と通信し、次に前記第１のセクタで該移動端末と通信したときに、該移動端末が前記管理エリアから退出したと判断する、請求項１１に記載の移動管理方法。
【請求項１３】
前記基地局装置が、水平方向に指向性を持った指向性アンテナを備えており、前記境界線の長手方向と前記指向性アンテナの指向方向が一致する、請求項９から１２のいずれか１項に記載の移動管理方法。
【請求項１４】
それぞれの通信エリアを線状に接続することにより、管理エリアの内部と外部を区切る境界線を該通信エリアで形成する複数の基地局装置と通信し、前記基地局装置と移動端末の通信状況を取得する通信手段と、
前記通信手段により取得された前記通信状況に基づいて、該移動端末の前記管理エリアへの進入を検出する検出手段と、を有する管理装置。
【請求項１５】
第１の境界線と第２の境界線の２本が形成されており、
前記基地局装置は自身の通信エリアの移動端末と通信したとき、該基地局装置が該移動端末と通信したことを示す通信信号を前記管理装置に送り、
前記通信手段が、前記第１の境界線に通信エリアを提供している基地局装置から、移動端末と通信したことを示す通信信号を受信し、次に、前記第２の境界線に通信エリアを提供している基地局装置から、同じ該移動端末と通信したことを示す通信信号を受信したら、前記検出手段は、該移動端末が前記管理エリアに進入したと判断し、
前記通信手段が、前記第２の境界線に通信エリアを提供している基地局装置から、移動端末と通信したことを示す通信信号を受信し、次に、前記第１の境界線に通信エリアを提供している基地局装置から、同じ該移動端末と通信したことを示す通信信号を受信したら、前記検出手段は、該移動端末が前記管理エリアから退出したと判断する、
請求項１４に記載の管理装置。
【請求項１６】
第１の境界線と第２の境界線の２本が形成されており、
前記基地局装置は、第１のセクタと第２のセクタを備え、前記第１のセクタの通信エリアを前記第１の境界線に供し、前記第２のセクタの通信エリアを前記第２の境界線に供しており、前記第１のセクタで前記移動端末と通信し、次に前記第２のセクタで該移動端末と通信したときに、該移動端末が前記管理エリアへ進入した旨を前記管理装置へ通知し、前記第２のセクタで前記移動端末と通信し、次に前記第１のセクタで該移動端末と通信したときに、該移動端末が前記管理エリアから退出した旨を前記管理装置に通知し、
前記通信手段は、前記基地局装置からの通知を受信し、
前記検出手段は、前記通信手段で受信された前記通知に従って、前記管理エリアへの移動端末の進入および前記管理エリアからの移動端末の退出を管理する、
請求項１４に記載の管理装置。
【請求項１７】
複数の基地局装置で通信エリアを線状に接続することにより、管理エリアの内部と外部を区切る境界線を該通信エリアで形成し、該通信エリアの移動端末と通信する通信手段と、
前記通信手段による前記移動端末との前記通信状況に基づいて、該移動端末の前記管理エリアへの進入を検出する検出手段と、を有する基地局装置。
【請求項１８】
第１の境界線と第２の境界線の２本が形成されており、
前記通信手段は、第１のセクタと第２のセクタを備え、前記第１のセクタの通信エリアを前記第１の境界線に提供し、前記第２のセクタの通信エリアを前記第２の境界線に提供しており、
前記通信手段が、前記第１のセクタで前記移動端末と通信し、次に前記第２のセクタで該移動端末と通信したときに、前記検出手段は、該移動端末が前記管理エリアへ進入したと判断し、
前記通信手段が、前記第２のセクタで前記移動端末と通信し、次に前記第１のセクタで該移動端末と通信したときに、前記検出手段は、該移動端末が前記管理エリアから退出したと判断する、請求項１７に記載の基地局装置。
【請求項１９】
前記通信手段は、水平方向に指向性を持った指向性アンテナを備えており、前記境界線の長手方向と前記指向性アンテナの指向方向が一致する、請求項１７または１８に記載の基地局装置。
【発明の詳細な説明】
【技術分野】
【０００１】
本発明は、移動端末の所定エリアへの進入を管理する無線通信システムに関する。
【背景技術】
【０００２】
無線通信を利用して移動端末が所定エリアへ進入したこと、あるいは移動端末が所定エリアから退出したことを検出する技術がある。この技術は様々な分野への応用が期待される。例えば、ロードプライシングでは、車両が課金エリアに進入すると、その車両に対して所定の料金が課すことが想定される。しかし、このロードプライシングを実現するには、課金エリアへの車両の進入が可能な全ての道路に、車両の進入を検出する装置を設置する必要があり、時間的あるいはコスト的な問題がある。
【０００３】
これに対して、特許文献１には、移動通信システムの基地局装置を用いて、移動端末を搭載した車両の位置を割り出し、その位置から車両が課金エリアへ進入したことを検知する技術が開示されている。この技術によれば、全ての道路に侵入検出装置を設置する必要がなくなる。
【特許文献１】特開２００３−３０７０１号公報
【発明の開示】
【発明が解決しようとする課題】
【０００４】
しかし、特許文献１に開示された技術では、どの経路で課金エリアに進入した車両も全て検出するためには、全ての道路に進入検出装置を設置する代わりに、課金エリア内の全ての基地局装置において移動端末の進入を検出することを可能にする必要がある。そのため、課金エリア内の全ての基地局装置においてロードプライシングへの対応が必要である。
【０００５】
本発明の目的は、移動端末の所定エリアへの進入を検出する無線通信システムを効率的に構築するための技術を提供することである。
【課題を解決するための手段】
【０００６】
上記目的を達成するために、本発明の無線通信システムは、複数の基地局装置を有し、
前記複数の基地局装置の通信エリアを線状に接続することにより、管理エリアの内部と外部を区切る境界線を該通信エリアで形成し、
前記基地局装置と移動端末との通信に基づいて、前記境界線を超えて前記管理エリアへ進入する移動端末を検出する。
【０００７】
本発明の移動管理方法は、
複数の基地局装置の通信エリアを線状に接続することにより、管理エリアの内部と外部を区切る境界線を該通信エリアで形成し、
前記基地局装置と移動端末との通信に基づいて、前記境界線を超えて前記管理エリアへ進入する移動端末を検出する。
【発明の効果】
【０００８】
本発明によれば、境界線に沿って基地局装置を配置すればよいので、移動端末の管理エリアへの進入を検出する無線通信システムを効率的に構築することができる。
【発明を実施するための最良の形態】
【０００９】
本発明を実施するための形態について図面を参照して詳細に説明する。
【００１０】
（第１の実施形態）
図１は、第１の実施形態による無線通信システムの構成を示すブロック図である。本実施形態は、所定の管理エリアへの移動端末の進入を監視するための空間ゲートウェイを実現するものであり、無線通信システムの基地局装置により空間ゲートウェイが構成されている。
【００１１】
図１を参照すると、本実施形態の無線通信システム１１は、複数の基地局装置１２と管理装置１３を備えており、基地局装置１２により移動端末１４と無線で接続する。ここでは一例として移動端末１４は自動車に搭載されている。基地局装置１２は、それぞれに通信エリアを構成しており、その通信エリアに存在する移動端末１４と通信することができる。
【００１２】
図２は、複数の基地局装置１２の通信エリアの配置を示す図である。図２を参照すると、複数の基地局装置１２の通信エリア２２を線状に接続することにより、管理エリア２１の内部と外部を区切る境界線が形成されている。
【００１３】
無線通信システム１１は、基地局装置１２が自身の通信エリア２２にある移動端末１４と通信することにより、境界線を超えて管理エリア２１へ進入する移動端末１４を検出する。管理装置１３は、管理エリア２１内に存在する移動端末１４を管理ためのデータベース（不図示）を有しており、管理エリア２１に進入した移動端末１４を示す識別情報をそのデータベースに記録する。
【００１４】
本実施形態によれば、境界線に沿って基地局装置１２を配置すればよいので、移動端末１４の管理エリア２１への進入を検出する無線通信システムを効率的に構築することができる。
【００１５】
例えば、基地局装置１２が単独で移動端末１４の管理エリア２１への進入を検出し、管理エリア２１へ進入した移動端末１４の識別情報を管理装置１３に通知することにしてもよい。その場合、管理装置１３は、基地局装置１２から通知された識別情報をデータベースに登録すればよい。
【００１６】
図３は、基地局装置１２の構成例を示すブロック図である。図３には、基地局装置１２が単独で移動端末１４の管理エリア２１への進入を検出する場合における基地局装置１２の構成が示されている。図３を参照すると、本例の基地局装置１２は通信部１２Ａおよび検出部１２Ｂを有している。通信部１２Ａは移動端末１４と通信し、通信状況を検出部１２Ｂに通知する。検出部１２Ｂは、通知された通信状況に基づいて、移動端末１４の管理エリア２１への進入を検出し、進入を検出した移動端末１４の識別情報を管理装置１３へ通知する。
【００１７】
また、他の例として、管理装置１３が、基地局装置１２と移動端末１４の間の通信状態を監視し、監視結果から移動端末１４の管理エリア２１への進入を判断してもよい。また、さらに他の例として、管理装置１３が基地局装置１２経由で移動端末１４と通信し、通信結果から移動端末１４の管理エリア２１への進入を判断してもよい。
【００１８】
図４は、管理装置１３の構成例を示すブロック図である。図４には、管理装置１３が移動端末１４の管理エリア２１への進入を検出する場合における管理装置１３の構成が示されている。図４を参照すると、本例の管理装置１３は、通信部１３Ａ、検出部１３Ｂ、およびデータベース１３Ｃを有している。通信部１３Ａは基地局装置１２経由で移動端末１４と通信し、基地局装置１２と移動端末１４との通信状況を検出部１３Ｂに通知する。検出部１３Ｂは、通知された通信状況に基づいて、移動端末１４の管理エリア２１への進入を検出し、進入を検出した移動端末１４の識別情報をデータベース１１Ｃへ登録する。
【００１９】
なお、図２では、基地局装置１２が無指向性アンテナを備えていることを想定した形状の通信エリア２２が示されているが、本発明はこれに限定されるものではない。他の例として、基地局装置１２が指向性アンテナを備えていてもよい。
【００２０】
図５は、指向性アンテナを備えた複数の基地局装置１２の通信エリアの配置を示す図である。図５には、指向性アンテナによる通信エリア３１を線状に接続することにより、管理エリア２１の内部と外部を区切る境界線が形成されている。そして、指向性アンテナの指向方向と境界線の長手方向とが一致している。このような構成とすることにより、少ない基地局装置１２により境界線を形成することができる。あるいは、送信電力が小さくて済む。
【００２１】
また、図２では、１本の境界線で管理エリア２１の内部と外部を区切る例を示したが、本発明はこれに限定されるものではない。他の例として、２本の境界線が設けられてもよい。
【００２２】
図６は、２本の境界線を設ける場合の通信エリアの配置を示す図である。図６を参照すると、２本の境界線により管理エリア２１の内部と外部が区切られている。外側の境界線が通信エリア４１Ａで形成されており、内側の境界線が通信エリア４１Ｂで形成されている。このように構成することにより、移動端末１４が基地局装置１２と通信した境界線の順序によって、その移動端末１４が、管理エリア２１に進入したのか、管理エリア２１から退出したのかを容易かつ確実に判断することができる。また、境界付近に留まっている移動端末１２が、電波状況の変化などによって管理エリア２１に頻繁に出入りするのを防止できる。
【００２３】
移動端末１４が、通信エリア４１Ａの基地局装置１２と通信し、次に通信エリア４１Ｂの基地局装置１２と通信したときに、その移動端末１４が管理エリア２１へ進入したと判断すればよい。また、移動端末１４が通信エリア４１Ｂの基地局装置１２と通信し、次に通信エリア４１Ａの基地局装置１２と通信したときに、その移動端末１４が管理エリア２１から退出したと判断すればよい。
【００２４】
また、基地局装置１２が２つのセクタを備え、一方のセクタの通信エリアを外側の境界線に提供し、他方のセクタの通信エリアを内側の境界線に提供することにしてもよい。図７は、２つのセクタを備えた基地局装置１２による通信エリアの配置を示す図である。図７を参照すると、基地局装置１２は、管理エリア２１の内部と外部を区切る２本の境界線に各セクタの通信エリアを提供している。外側の境界線には通信エリア５１Ａが提供され、内側の境界線には通信エリア５１Ｂが提供されている。
【００２５】
基地局装置１２が、通信エリア５１Ａのセクタで移動端末１４と通信し、次に通信エリア５１Ｂのセクタで移動端末１４と通信したときに、その移動端末１４が管理エリア２１へ進入したと判断すればよい。また、基地局装置１２が、通信エリア５１Ｂのセクタで移動端末１４と通信し、次に通信エリア５１Ａのセクタで移動端末１４と通信したときに、その移動端末１４が管理エリア２１から退出したと判断すればよい。
【００２６】
（第２の実施形態）
図８は、第２の実施形態による無線通信システムの構成を示すブロック図である。本実施形態は、所定の管理エリアへの移動端末の進入を空間ゲートウェイで監視し、進入した移動端末に対して課金するものである。本実施形態の無線通信システムは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）システムを利用して構成されている。
【００２７】
ＷｉＭＡＸシステムを利用した無線通信システムは、ＣＳＮ（Ｃｏｎｎｅｃｔｉｖｉｔｙ  Ｓｅｒｖｉｃｅ  Ｎｅｔｗｏｒｋ）とＡＳＮ（Ａｃｃｅｓｓ  Ｓｅｒｖｉｃｅ  Ｎｅｔｗｏｒｋ）で構成されている。
【００２８】
ＣＳＮは、移動端末６４に対してＩＰ接続サービスを提供するネットワークである。ＣＳＮはＡＡＡ（Ａｕｔｈｅｎｔｉｃａｔｉｏｎ，  Ａｕｔｈｏｒｉｚａｔｉｏｎ，  ａｎｄ  Ａｃｃｏｕｎｔｉｎｇ）サーバ６１を有している。
【００２９】
ＡＳＮは、移動端末（ＭＳ；Ｍｏｂｉｌｅ  Ｓｔａｔｉｏｎ）６４と無線で接続するアクセスネットワークであり、ＡＳＮ−ＧＷ（ＡＳＮ−Ｇａｔｅｗａｙ）６２およびＢＳ（Ｂａｓｅ  Ｓｔａｔｉｏｎ）６３を有している。ＢＳ６３は、２セクタ構成であり、図６に示したように２つのセクタの通信エリアを２本の境界線のそれぞれに提供している。
【００３０】
ＡＡＡサーバ６１は、ユーザまたは端末デバイスの認証、接続許可、帯域保証、および課金管理に関する処理を実行する機能を備えるサーバであり、ＭＳ６４から接続要求を受けると、ユーザまたは端末デバイスを認証し、ＭＳ６４に接続を許可するとともに所定の帯域を割り当てる。
【００３１】
ＡＳＮ−ＧＷ６２は、ＣＳＮとＢＳ６３とを接続するゲートウェイである。ＡＳＮ−ＧＷ６２は、端末の位置管理、ユーザまたは端末デバイスの認証、帯域管理、およびハンドオーバに関する処理を実行する機能を備えている。ＡＳＮ−ＧＷ６２は、図４に示した管理装置１３と同様にＢＳ６３経由でＭＳ６４と通信し、通信状況に基づいて、ＭＳ６４の管理エリア２１への進入を検出する。特に、本実施形態はＢＳ６４が２本の境界線に２つのセクタの通信エリアを提供する構成なので、ＡＳＮ−ＧＷ６２は、セクタ間のハンドオーバが発生すると、その方向によって、ＭＳ６４が管理エリア２１に進入したのか、管理エリア２１から退出したのか判定する。
【００３２】
ＡＳＮ−ＧＷ６２は、ＭＳ６４が管理エリア２１に進入したと判定すると、その旨およびＭＳ６４の識別情報をＡＡＡサーバ６１に通知する。ＡＡＡサーバ６１は、ＡＳＮ−ＧＷ６２からの通知に基づいて、ＭＳ６４に対する課金処理を行う。
【００３３】
ＢＳ６３は、２セクタ構成であり、図７に示した基地局装置１２と同様に、各セクタの通信エリアを２本の境界線のそれぞれに提供している。ＢＳ６３は、各通信エリアに存在するＭＳ６４と無線回線で通信する。
【００３４】
図９は、第２の実施形態による無線通信システムの動作例を示すシーケンスチャートである。ＭＳ６４がセクタＡの通信エリアに入ると、ＭＳ６４、ＢＳ６３、およびＡＳＮ−ＧＷ６２が相互に制御信号を送受信し、セクタＡ経由のコネクションを確立する（ステップ１０１）。続いて、ＭＳ６４がセクタＢの通信エリアに入ると、ＭＳ６４、ＢＳ６３、およびＡＳＮ−ＧＷ６２が相互に制御信号を送受信し、セクタＡからセクタＢへのセクタ間ハンドオーバを実行する（ステップ１０２）。そうすると、ＡＳＮ−ＧＷ６２は、ＭＳ６４が管理エリア２１に進入したものと判断する（ステップ１０３）。最後に、ＭＳ６４、ＢＳ６３、およびＡＳＮ−ＧＷ６２が相互に制御信号を送受信し、ＭＳ６４のコネクションを開放する（ステップ１０４）。
【００３５】
なお、本実施形態では、ＡＳＮ−ＧＷ６２が、第１の実施形態の管理装置１３の機能を果たし、ＭＳ６４の管理エリア２１への進入を検出する例を示したが、本発明はこれに限定されるものではない。他の例として、ＡＡＡサーバ６１が、第１の実施形態の管理装置１３の機能を果たし、ＭＳ６４の管理エリア２１への進入を検出することにしてもよい。その場合、ハンドオーバを管理するＡＳＮ−ＧＷ６２が、セクタ間ハンドオーバの発生をＡＡＡサーバ６１に通知し、ＡＡＡサーバ６１は、その通知に基づいて、ＭＳ６４の管理エリア２１への進入を判断すればよい。
【００３６】
また、本実施形態においてＭＳ６４が管理エリア２１に進入したことに伴うＭＳ６４への課金をＥＴＣ（Ｅｌｅｃｔｒｏｎｉｃ  Ｔｏｌｌ  Ｃｏｌｌｅｃｔｉｏｎ）システムと連携することにより、実現してもよい。図１０は、第２の実施形態の無線通信システム（ＷｉＭＡＸ）とＥＴＣシステムとの連携の様子の一例を示すシーケンスチャートである。図１０を参照すると、ＡＡＡサーバ６１、ＡＳＮ−ＧＷ６２、およびＢＳ６３を含むＷｉＭＡＸシステムは、ＭＳ６４とコネクションを確立すると（ステップ２０１）、その旨およびＭＳ６４の識別情報をＥＴＣシステムに通知する（ステップ２０２）。
【００３７】
通知を受けたＥＴＣシステムは、識別情報によって示されるＭＳ６４が課金対象の端末であるか否か判定する（ステップ２０３）。ここではＭＳ６４が課金対象であるものとする。ＥＴＣシステムは、ＭＳ６４が課金対象である旨をＷｉＭＡＸシステムに通知する（ステップ２０４）。
【００３８】
その通知を受けたＷｉＭＡＸシステムは、その後、ＭＳ６４のセクタ間ハンドオーバが発生すると（ステップ２０５）、ＭＳ６４が管理エリア２１に進入したものと判断し、その旨をＥＴＣシステムに通知する（ステップ２０６）。
【００３９】
その通知を受けたＥＴＣシステムは、ＭＳ６４に対する課金処理を行い（ステップ２０７）、課金処理が完了した旨をＷｉＭＡＸシステムに通知する（ステップ２０８）。
その通知を受けたＷｉＭＡＸシステムは、ＭＳ６４のコネクションを開放する（ステップ２０９）。
【００４０】
なお、ステップ２０３の判定にてＭＳ６４が課金対象でなければ、ＥＴＣシステムは、その旨をＷｉＭＡＸシステムに通知し、通知を受けたＷｉＭＡＸシステムは即座にコネクションを開放することにしてもよい。
【００４１】
以上、本発明の実施形態について述べてきたが、本発明は、これらの実施形態だけに限定されるものではなく、本発明の技術思想の範囲内において、これらの実施形態を組み合わせて使用したり、一部の構成を変更したりしてもよい。
【図面の簡単な説明】
【００４２】
【図１】第１の実施形態による無線通信システムの構成を示すブロック図である。
【図２】複数の基地局装置１２の通信エリアの配置を示す図である。
【図３】基地局装置１２の構成例を示すブロック図である。
【図４】管理装置１３の構成例を示すブロック図である。
【図５】指向性アンテナを備えた複数の基地局装置１２の通信エリアの配置を示す図である。
【図６】２本の境界線を設ける場合の通信エリアの配置を示す図である。
【図７】２つのセクタを備えた基地局装置１２による通信エリアの配置を示す図である。
【図８】第２の実施形態による無線通信システムの構成を示すブロック図である。
【図９】第２の実施形態による無線通信システムの動作例を示すシーケンスチャートである。
【図１０】第２の実施形態の無線通信システム（ＷｉＭＡＸ）とＥＴＣシステムとの連携の様子の一例を示すシーケンスチャートである。
【符号の説明】
【００４３】
１１    無線通信システム
１２    基地局装置
１２Ａ    通信部
１２Ｂ    検出部
１３    管理装置
１３Ａ    通信部
１３Ｂ    検出部
１３Ｃ    データベース
１４、６４    移動端末
６１    ＡＡＡサーバ
６２    ＡＳＮ−ＧＷ
６３    ＢＳ
６４    ＭＳ
【図１】
2010045671.tif 000003
【図２】
2010045671.tif 000004
【図３】
2010045671.tif 000005
【図４】
2010045671.tif 000006
【図５】
2010045671.tif 000007
【図６】
2010045671.tif 000008
【図７】
2010045671.tif 000009
【図８】
2010045671.tif 000010
【図９】
2010045671.tif 000011
【図１０】
2010045671.tif 000012